(57)【要約】【課題】記録メディアに格納されている医用画像情報の表示動作を規制する。【解決手段】データ管理サーバ１０は、記憶装置１５に保存されている医用画像情報、及び、医用画像情報が保存されている保存先のネットワーク上のアドレス情報をメディアに電子的に書き込むとともに、表示動作規制処理プログラムを書き込む。クライアント端末２０では、メディアに書き込まれた表示動作規制処理プログラムに従って、メディアに格納されている医用画像情報の表示動作を規制する処理を行う。例えば、検査日から表示可能期間を経過した医用画像情報に対して追加書き込みを行い、医用画像情報を破壊する。表示可能期間の経過後は、アドレスを選択することにより、ネットワークＮを介して、記憶装置１５に保存されている医用画像情報にアクセスすることができる。【選択図】図１
2009276811.tif 000002
【特許請求の範囲】
【請求項１】
医用画像情報及び当該医用画像情報が保存されている保存先のネットワーク上のアドレス情報を記録メディアに電子的に書き込むとともに、予め設定された基準時から予め設定された表示可能期間を経過した後は前記記録メディアに格納されている医用画像情報の表示動作を規制する表示動作規制処理プログラムを前記記録メディアに電子的に書き込む書き込み手段を備えたことを特徴とする医用情報提供装置。
【請求項２】
前記基準時は、前記医用画像情報の検査日であることを特徴とする請求項１に記載の医用情報提供装置。
【請求項３】
前記基準時は、前記医用画像情報の前記記録メディアへの書き込み日であることを特徴とする請求項１に記載の医用情報提供装置。
【請求項４】
医用画像情報及び当該医用画像情報が保存されている保存先のネットワーク上のアドレス情報を記録メディアに電子的に書き込むとともに、予め設定された基準時を経過した後は前記記録メディアに格納されている医用画像情報の表示動作を規制する表示動作規制処理プログラムを前記記録メディアに電子的に書き込む書き込み手段を備えたことを特徴とする医用情報提供装置。
【請求項５】
前記基準時は、前記医用画像情報の次回検査日であることを特徴とする請求項４に記載の医用情報提供装置。
【請求項６】
前記医用画像情報の表示動作の規制は、前記医用画像情報に対して追加書き込みを行い、前記医用画像情報を破壊することにより行うことを特徴とする請求項１〜５のいずれか一項に記載の医用情報提供装置。
【請求項７】
前記医用画像情報は、ＤＩＣＯＭ（Digital Imaging and Communications in Medicine）規格に則った医用画像情報であることを特徴とする請求項１〜６のいずれか一項に記載の医用情報提供装置。
【請求項８】
医用画像情報及び当該医用画像情報が保存されている保存先のネットワーク上のアドレス情報を記録メディアに電子的に書き込むとともに、予め設定された基準時から予め設定された表示可能期間を経過した後は前記記録メディアに格納されている医用画像情報の表示動作を規制する表示動作規制処理プログラムを前記記録メディアに電子的に書き込む書き込み手段を備えた医用情報提供装置と、
前記医用情報提供装置とネットワークを介して接続され、前記記録メディアに書き込まれた表示動作規制処理プログラムに従って前記記録メディアに格納されている医用画像情報の表示動作を規制する処理を行う制御手段、及び、前記記録メディアに書き込まれたアドレス情報に基づいて前記医用画像情報の保存先にアクセスするアクセス手段を備えた端末装置と、
を備えたことを特徴とする医用情報提供システム。
【請求項９】
前記基準時は、前記医用画像情報の検査日であることを特徴とする請求項８に記載の医用情報提供システム。
【請求項１０】
前記基準時は、前記医用画像情報の前記記録メディアへの書き込み日であることを特徴とする請求項８に記載の医用情報提供システム。
【請求項１１】
医用画像情報及び当該医用画像情報が保存されている保存先のネットワーク上のアドレス情報を記録メディアに電子的に書き込むとともに、予め設定された基準時を経過した後は前記記録メディアに格納されている医用画像情報の表示動作を規制する表示動作規制処理プログラムを前記記録メディアに電子的に書き込む書き込み手段を備えた医用情報提供装置と、
前記医用情報提供装置とネットワークを介して接続され、前記記録メディアに書き込まれた表示動作規制処理プログラムに従って前記記録メディアに格納されている医用画像情報の表示動作を規制する処理を行う制御手段、及び、前記記録メディアに書き込まれたアドレス情報に基づいて前記医用画像情報の保存先にアクセスするアクセス手段を備えた端末装置と、
を備えたことを特徴とする医用情報提供システム。
【請求項１２】
前記基準時は、前記医用画像情報の次回検査日であることを特徴とする請求項１１に記載の医用情報提供システム。
【請求項１３】
前記医用画像情報の表示動作の規制は、前記医用画像情報に対して追加書き込みを行い、前記医用画像情報を破壊することにより行うことを特徴とする請求項８〜１２のいずれか一項に記載の医用情報提供システム。
【請求項１４】
前記医用画像情報は、ＤＩＣＯＭ規格に則った医用画像情報であることを特徴とする請求項８〜１３のいずれか一項に記載の医用情報提供システム。
【請求項１５】
コンピュータを、
医用画像情報及び当該医用画像情報が保存されている保存先のネットワーク上のアドレス情報を記録メディアに電子的に書き込むとともに、予め設定された基準時から予め設定された表示可能期間を経過した後は前記記録メディアに格納されている医用画像情報の表示動作を規制する表示動作規制処理プログラムを前記記録メディアに電子的に書き込む手段として機能させるためのプログラム。
【請求項１６】
前記基準時は、前記医用画像情報の検査日であることを特徴とする請求項１５に記載のプログラム。
【請求項１７】
前記基準時は、前記医用画像情報の前記記録メディアへの書き込み日であることを特徴とする請求項１５に記載のプログラム。
【請求項１８】
コンピュータを、
医用画像情報及び当該医用画像情報が保存されている保存先のネットワーク上のアドレス情報を記録メディアに電子的に書き込むとともに、予め設定された基準時を経過した後は前記記録メディアに格納されている医用画像情報の表示動作を規制する表示動作規制処理プログラムを前記記録メディアに電子的に書き込む手段として機能させるためのプログラム。
【請求項１９】
前記基準時は、前記医用画像情報の次回検査日であることを特徴とする請求項１８に記載のプログラム。
【請求項２０】
前記医用画像情報の表示動作の規制は、前記医用画像情報に対して追加書き込みを行い、前記医用画像情報を破壊することにより行うことを特徴とする請求項１５〜１９のいずれか一項に記載のプログラム。
【請求項２１】
前記医用画像情報は、ＤＩＣＯＭ規格に則った医用画像情報であることを特徴とする請求項１５〜２０のいずれか一項に記載のプログラム。
【発明の詳細な説明】
【技術分野】
【０００１】
本発明は、医用画像情報を提供する医用情報提供装置、医用情報提供システム及びプログラムに関する。
【背景技術】
【０００２】
医療の分野では、患者を撮影した医用画像のデジタル化が実現されている。デジタル化は、ＣＲ（Computed Radiography）装置、ＣＴ（Computed Tomography）装置、ＭＲＩ（Magnetic Resonance Imaging）装置等の画像生成装置、カセッテ読み取り装置等の各種モダリティにより行われる。デジタル化された医用画像は、患者の患者情報や検査情報等とともに管理サーバにより一元的に管理される。具体的には、医用画像とＤＩＣＯＭ（Digital Imaging and Communications in Medicine）規格に適合するＤＩＣＯＭ基本情報とがデータベースに登録された医用画像管理システム（以下、ＰＡＣＳ（Picture Archiving and Communication System）という。）が用いられている。
【０００３】
また、一般的なコンピュータネットワークシステムにおいて、ファイルデータの最新のアクセス日時から現在までの経過時間を求め、経過時間が保存期間を超えている場合には、このファイルデータを消去するファイルシステム管理装置が提案されている（特許文献１参照）。これにより、古いファイルデータを自動的に消去することができる。
【０００４】
また、ＰＡＣＳで管理される医用画像を他のシステムや一般患者へ提供する方法として、ネットワークによる提供とは別に、ＩＨＥ（Integrating the Healthcare Enterprise）におけるＰＤＩ（Portable Data for Imaging）に対応した記録メディアによる提供も行われている。これは、医用画像情報をＣＤ−Ｒ（Compact Disk Recordable）やＤＶＤ−Ｒ（Digital Versatile Disk Recordable）等の記録メディアに保存し、記録メディアを搬送することによりデータの移送を行うものである。
【特許文献１】特開平５−１６５６８５号公報
【発明の開示】
【発明が解決しようとする課題】
【０００５】
しかしながら、記録メディアに医用画像情報を一旦書き込んでしまうと、いつまでも記録メディア中の医用画像情報を閲覧することができるため、撮影から長期間経過している場合には、その患者の病状の変化を誤認識し、診断を誤るおそれがあった。また、何度も検査を行い、撮影した医用画像情報を記録メディアにて運搬する際、古いデータがそのまま使用可能な場合には、間違って古いデータを最新のデータとして他のシステムに取り込んでしまう可能性があった。このように、記録メディアによる医用画像情報の提供は、その後のデータの管理が問題となる。
【０００６】
本発明は、上記の従来技術における問題に鑑みてなされたものであって、記録メディアに格納されている医用画像情報の表示動作を規制することを課題とする。
【課題を解決するための手段】
【０００７】
上記課題を解決するために、請求項１に記載の医用情報提供装置は、医用画像情報及び当該医用画像情報が保存されている保存先のネットワーク上のアドレス情報を記録メディアに電子的に書き込むとともに、予め設定された基準時から予め設定された表示可能期間を経過した後は前記記録メディアに格納されている医用画像情報の表示動作を規制する表示動作規制処理プログラムを前記記録メディアに電子的に書き込む書き込み手段を備えたことを特徴とする。
【０００８】
請求項２に記載の発明は、請求項１に記載の医用情報提供装置において、前記基準時は、前記医用画像情報の検査日であることを特徴とする。
【０００９】
請求項３に記載の発明は、請求項１に記載の医用情報提供装置において、前記基準時は、前記医用画像情報の前記記録メディアへの書き込み日であることを特徴とする。
【００１０】
請求項４に記載の医用情報提供装置は、医用画像情報及び当該医用画像情報が保存されている保存先のネットワーク上のアドレス情報を記録メディアに電子的に書き込むとともに、予め設定された基準時を経過した後は前記記録メディアに格納されている医用画像情報の表示動作を規制する表示動作規制処理プログラムを前記記録メディアに電子的に書き込む書き込み手段を備えたことを特徴とする。
【００１１】
請求項５に記載の発明は、請求項４に記載の医用情報提供装置において、前記基準時は、前記医用画像情報の次回検査日であることを特徴とする。
【００１２】
請求項６に記載の発明は、請求項１〜５のいずれか一項に記載の医用情報提供装置において、前記医用画像情報の表示動作の規制は、前記医用画像情報に対して追加書き込みを行い、前記医用画像情報を破壊することにより行うことを特徴とする。
【００１３】
請求項７に記載の発明は、請求項１〜６のいずれか一項に記載の医用情報提供装置において、前記医用画像情報は、ＤＩＣＯＭ規格に則った医用画像情報であることを特徴とする。
【００１４】
請求項８に記載の医用情報提供システムは、医用画像情報及び当該医用画像情報が保存されている保存先のネットワーク上のアドレス情報を記録メディアに電子的に書き込むとともに、予め設定された基準時から予め設定された表示可能期間を経過した後は前記記録メディアに格納されている医用画像情報の表示動作を規制する表示動作規制処理プログラムを前記記録メディアに電子的に書き込む書き込み手段を備えた医用情報提供装置と、前記医用情報提供装置とネットワークを介して接続され、前記記録メディアに書き込まれた表示動作規制処理プログラムに従って前記記録メディアに格納されている医用画像情報の表示動作を規制する処理を行う制御手段、及び、前記記録メディアに書き込まれたアドレス情報に基づいて前記医用画像情報の保存先にアクセスするアクセス手段を備えた端末装置と、を備えたことを特徴とする。
【００１５】
請求項９に記載の発明は、請求項８に記載の医用情報提供システムにおいて、前記基準時は、前記医用画像情報の検査日であることを特徴とする。
【００１６】
請求項１０に記載の発明は、請求項８に記載の医用情報提供システムにおいて、前記基準時は、前記医用画像情報の前記記録メディアへの書き込み日であることを特徴とする。
【００１７】
請求項１１に記載の医用情報提供システムは、医用画像情報及び当該医用画像情報が保存されている保存先のネットワーク上のアドレス情報を記録メディアに電子的に書き込むとともに、予め設定された基準時を経過した後は前記記録メディアに格納されている医用画像情報の表示動作を規制する表示動作規制処理プログラムを前記記録メディアに電子的に書き込む書き込み手段を備えた医用情報提供装置と、前記医用情報提供装置とネットワークを介して接続され、前記記録メディアに書き込まれた表示動作規制処理プログラムに従って前記記録メディアに格納されている医用画像情報の表示動作を規制する処理を行う制御手段、及び、前記記録メディアに書き込まれたアドレス情報に基づいて前記医用画像情報の保存先にアクセスするアクセス手段を備えた端末装置と、を備えたことを特徴とする。
【００１８】
請求項１２に記載の発明は、請求項１１に記載の医用情報提供システムにおいて、前記基準時は、前記医用画像情報の次回検査日であることを特徴とする。
【００１９】
請求項１３に記載の発明は、請求項８〜１２のいずれか一項に記載の医用情報提供システムにおいて、前記医用画像情報の表示動作の規制は、前記医用画像情報に対して追加書き込みを行い、前記医用画像情報を破壊することにより行うことを特徴とする。
【００２０】
請求項１４に記載の発明は、請求項８〜１３のいずれか一項に記載の医用情報提供システムにおいて、前記医用画像情報は、ＤＩＣＯＭ規格に則った医用画像情報であることを特徴とする。
【００２１】
請求項１５に記載の発明は、コンピュータを、医用画像情報及び当該医用画像情報が保存されている保存先のネットワーク上のアドレス情報を記録メディアに電子的に書き込むとともに、予め設定された基準時から予め設定された表示可能期間を経過した後は前記記録メディアに格納されている医用画像情報の表示動作を規制する表示動作規制処理プログラムを前記記録メディアに電子的に書き込む手段として機能させるためのプログラムである。
【００２２】
請求項１６に記載の発明は、請求項１５に記載のプログラムにおいて、前記基準時は、前記医用画像情報の検査日であることを特徴とする。
【００２３】
請求項１７に記載の発明は、請求項１５に記載のプログラムにおいて、前記基準時は、前記医用画像情報の前記記録メディアへの書き込み日であることを特徴とする。
【００２４】
請求項１８に記載の発明は、コンピュータを、医用画像情報及び当該医用画像情報が保存されている保存先のネットワーク上のアドレス情報を記録メディアに電子的に書き込むとともに、予め設定された基準時を経過した後は前記記録メディアに格納されている医用画像情報の表示動作を規制する表示動作規制処理プログラムを前記記録メディアに電子的に書き込む手段として機能させるためのプログラムである。
【００２５】
請求項１９に記載の発明は、請求項１８に記載のプログラムにおいて、前記基準時は、前記医用画像情報の次回検査日であることを特徴とする。
【００２６】
請求項２０に記載の発明は、請求項１５〜１９のいずれか一項に記載のプログラムにおいて、前記医用画像情報の表示動作の規制は、前記医用画像情報に対して追加書き込みを行い、前記医用画像情報を破壊することにより行うことを特徴とする。
【００２７】
請求項２１に記載の発明は、請求項１５〜２０のいずれか一項に記載のプログラムにおいて、前記医用画像情報は、ＤＩＣＯＭ規格に則った医用画像情報であることを特徴とする。
【発明の効果】
【００２８】
請求項１、８、１５に記載の発明によれば、記録メディアの読み取り装置において、記録メディアに格納されている医用画像情報の表示動作を規制することができる。したがって、表示可能期間を経過した医用画像情報に基づいて誤った診断を行うことを防止することができる。
【００２９】
請求項２、９、１６に記載の発明によれば、検査日を基準として、検査日から表示可能期間を経過した医用画像情報については、医用画像情報の表示動作を規制することができる。
【００３０】
請求項３、１０、１７に記載の発明によれば、医用画像情報の記録メディアへの書き込み日を基準として、書き込み日から表示可能期間を経過した医用画像情報については、医用画像情報の表示動作を規制することができる。
【００３１】
請求項４、１１、１８に記載の発明によれば、記録メディアの読み取り装置において、記録メディアに格納されている医用画像情報の表示動作を規制することができる。したがって、基準時を経過した医用画像情報に基づいて誤った診断を行うことを防止することができる。
【００３２】
請求項５、１２、１９に記載の発明によれば、次回検査日を経過している場合には、より新しいデータが存在するものとして、次回検査日を経過した医用画像情報については、医用画像情報の表示動作を規制することができる。
【００３３】
請求項６、１３、２０に記載の発明によれば、医用画像情報に対して追加書き込みを行い、医用画像情報を破壊することによって、医用画像情報の表示動作を規制することができる。
【００３４】
請求項７、１４、２１に記載の発明によれば、ＤＩＣＯＭ規格に則った医用画像情報の表示動作を規制することができる。
【発明を実施するための最良の形態】
【００３５】
［第１の実施の形態］
まず、図１〜図５を参照して、本発明の第１の実施の形態における医用情報提供システム１００について説明する。
図１は、医用情報提供システム１００のシステム構成図である。
図１に示すように、医用情報提供システム１００は、データ管理サーバ１０、クライアント端末２０から構成され、各装置は、ＬＡＮ（Local Area Network）やＷＡＮ（Wide Area Network）等の通信回線からなるネットワークＮを介して接続されている。データ管理サーバ１０は、病院Ａ内に設置されており、記憶装置１５を備えている。病院Ａ内の通信方式としては、ＤＩＣＯＭ規格が用いられている。
【００３６】
データ管理サーバ１０は、病院Ａにおいて生成された医用画像情報、患者情報、検査情報等を保存・管理する装置であり、ＰＤＩに対応した記録メディア（以下、メディアという。）に対し、医用画像情報等を書き込む。
【００３７】
図２に、データ管理サーバ１０の機能的構成を示す。
図２に示すように、データ管理サーバ１０は、ＣＰＵ（Central Processing Unit）１１、操作部１２、表示部１３、通信部１４、記憶装置１５、ＲＯＭ（Read Only Memory）１６、ＲＡＭ（Random Access Memory）１７、メディア書き込み部１８等を備えて構成され、各部はバス１９により接続されている。
【００３８】
ＣＰＵ１１は、ＲＯＭ１６に記憶されているシステムプログラムや各種処理プログラムを読み出し、ＲＡＭ１７内に形成されたワークエリアに展開し、該プログラムに従って各部を制御する。
【００３９】
操作部１２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ１１に出力する。
【００４０】
表示部１３は、ＬＣＤ（Liquid Crystal Display）やＣＲＴ（Cathode Ray Tube）等のモニタにより構成され、ＣＰＵ１１から入力される表示信号の指示に従って、操作部１２からの入力指示やデータ等を表示する。
【００４１】
通信部１４は、ＬＡＮアダプタ、ルータ、ＴＡ（Terminal Adapter）等を備え、ネットワークＮに接続された各装置とデータの送受信を行う。
【００４２】
記憶装置１５は、ハードディスク等の記憶装置であり、病院Ａにおいて、各種モダリティにより生成されたＤＩＣＯＭ規格に則った医用画像情報、各医用画像情報に対応する患者情報や検査情報等の画像関連情報を保存する。医用画像情報は、患者、検査日、モダリティ毎のフォルダにより分類されている。
【００４３】
ＲＯＭ１６は、不揮発性の半導体メモリ等により構成され、ＣＰＵ１１で実行されるシステムプログラム、メディア書き込み処理プログラムを始めとする各種処理プログラム、各種データ等を記憶する。これらの各種プログラムは、読み取り可能なプログラムコードの形態で格納され、ＣＰＵ１１は、当該プログラムコードに従った動作を逐次実行する。
【００４４】
ＲＡＭ１７は、ＣＰＵ１１により実行制御される各種処理において、ＲＯＭ１６から読み出された各種プログラム、入力若しくは出力データ、及びパラメータ等を一時的に記憶する記憶領域を形成する。
【００４５】
メディア書き込み部１８は、メディアに対して、記憶装置１５に保存されている医用画像情報、及び、医用画像情報が保存されている保存先のネットワーク上のアドレス情報を電子的に書き込むとともに、表示動作規制処理プログラムを電子的に書き込む。医用画像情報はＰＤＩにおけるＤＣＭファイルとして、アドレス情報及び表示動作規制処理プログラムはOtherファイルとして書き込まれる。メディアとしては、ＣＤ−ＲやＤＶＤ−Ｒ等が用いられる。
【００４６】
ここで、表示動作規制処理プログラムは、メディアの読み取り装置であるクライアント端末２０を、医用画像情報の検査日から予め設定された表示可能期間を経過した後はメディアに格納されている医用画像情報の表示動作を規制する手段として機能させるためのプログラムである。また、医用画像情報の表示動作の規制は、医用画像情報に対して追加書き込みを行い、医用画像情報を破壊することにより行う。
【００４７】
クライアント端末２０は、他の病院や病院Ａ内の他の部門の医師が医用画像を読影する際に用いるＰＣ（Personal Computer）、患者自身の自宅等に設置された一般のＰＣ等により構成される。
【００４８】
図３に、クライアント端末２０の機能的構成を示す。
図３に示すように、クライアント端末２０は、ＣＰＵ２１、操作部２２、表示部２３、通信部２４、ＲＯＭ２５、ＲＡＭ２６、メディアドライブ２７等を備えて構成され、各部はバス２８により接続されている。
【００４９】
ＣＰＵ２１は、ＲＯＭ２５に記憶されているシステムプログラムや各種処理プログラムを読み出し、ＲＡＭ２６内に形成されたワークエリアに展開し、該プログラムに従って各部を制御する。また、ＣＰＵ２１は、メディアに記憶されている表示動作規制処理プログラムを読み出し、ＲＡＭ２６内に形成されたワークエリアに展開し、表示動作規制処理プログラムに従って、メディアに格納されている医用画像情報の表示動作を規制する処理を行う。
【００５０】
操作部２２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ２１に出力する。
【００５１】
表示部２３は、ＬＣＤやＣＲＴ等のモニタにより構成され、ＣＰＵ２１から入力される表示信号の指示に従って、操作部２２からの入力指示やデータ等を表示する。
【００５２】
通信部２４は、ＬＡＮアダプタ、ルータ、ＴＡ等を備え、ネットワークＮに接続された各装置とデータの送受信を行う。
【００５３】
ＲＯＭ２５は、不揮発性の半導体メモリ等により構成され、ＣＰＵ２１で実行されるシステムプログラムや各種処理プログラム、各種データ等を記憶する。これらの各種プログラムは、読み取り可能なプログラムコードの形態で格納され、ＣＰＵ２１は、当該プログラムコードに従った動作を逐次実行する。
【００５４】
ＲＡＭ２６は、ＣＰＵ２１により実行制御される各種処理において、ＲＯＭ２５又はメディアから読み出された各種プログラム、入力若しくは出力データ、及びパラメータ等を一時的に記憶する記憶領域を形成する。
【００５５】
メディアドライブ２７は、メディアからのデータの読み取りや、メディアに対するデータの書き込みを行う。具体的には、メディアドライブ２７は、メディアに書き込まれている医用画像情報、医用画像情報が保存されている保存先のネットワーク上のアドレス情報、表示動作規制処理プログラムを読み取る。また、メディアドライブ２７は、第１の表示動作規制処理時に、対象となる医用画像情報に対して追加書き込みを行い、医用画像情報を破壊する。
【００５６】
ＣＰＵ２１は、メディアドライブ２７により読み取られたアドレス情報に基づいて、ネットワークＮを介して医用画像情報の保存先にアクセスする。
【００５７】
次に、動作について説明する。
図４は、データ管理サーバ１０において実行されるメディア書き込み処理を示すフローチャートである。メディア書き込み処理は、ＣＰＵ１１と、ＲＯＭ１６に記憶されたメディア書き込み処理プログラムとの協働によるソフトウェア処理によって実行される。
【００５８】
まず、操作部１２からの操作指示により、記憶装置１５に保存されている医用画像情報の中から、書き込み対象となる医用画像情報が選択される（ステップＳ１）。ここで、複数の医用画像情報が選択された場合には（ステップＳ２；Ｙｅｓ）、操作部１２からの操作指示により、アドレス生成パターンが選択される（ステップＳ３）。アドレス生成パターンは、検査日選択用のアドレス情報、モダリティ選択用のアドレス情報、画像単体選択用のアドレス情報を生成するか否かの組み合わせを示すものであり、ユーザの使用方法に従って選択される。
【００５９】
次に、検査日での指定を行う場合には（ステップＳ４；Ｙｅｓ）、検査日選択用のアドレス情報が生成される（ステップＳ５）。検査日選択用のアドレス情報は、記憶装置１５のその日の対象検査の医用画像情報が保存されているフォルダにリモートアクセスするためのものである。検査日での指定を行わない場合には（ステップＳ４；Ｎｏ）、そのままステップＳ６に移行する。
【００６０】
次に、モダリティでの指定を行う場合には（ステップＳ６；Ｙｅｓ）、モダリティ選択用のアドレス情報が生成される（ステップＳ７）。モダリティ選択用のアドレス情報は、記憶装置１５のそのモダリティで生成された医用画像情報が保存されているフォルダにリモートアクセスするためのものである。
【００６１】
ステップＳ７の後、ステップＳ６においてモダリティでの指定を行わない場合（ステップＳ６；Ｎｏ）、又は、ステップＳ２において医用画像情報が１つだけ選択された場合には（ステップＳ２；Ｎｏ）、画像単体選択用のアドレス情報が生成される（ステップＳ８）。画像単体選択用のアドレス情報は、記憶装置１５のその医用画像情報にリモートアクセスするためのものであり、このアドレス情報には、医用画像を特定するためのＳＯＰインスタンスＵＩＤ等の画像識別情報が含まれる。ＳＯＰインスタンスＵＩＤは、モダリティのメーカー、機種、機器毎の値、撮影日時等から生成される値であり、画像毎に異なる値が付与される。
【００６２】
次に、他の医用画像情報が選択される場合には（ステップＳ９；Ｙｅｓ）、ステップＳ１に戻り、ステップＳ１〜ステップＳ９の処理が繰り返される。ステップＳ９において他の医用画像情報が選択されない場合には（ステップＳ９；Ｎｏ）、メディア書き込み部１８により、選択した医用画像情報と生成したアドレス情報とがメディアに書き込まれ（ステップＳ１０）、さらに、表示動作規制処理プログラムが書き込まれる（ステップＳ１１）。
以上で、メディア書き込み処理が終了する。
【００６３】
このようにして作成されたメディアは、他の病院や病院Ａ内の他の部門の医師、又は患者によって利用される。
【００６４】
次に、図５を参照して、クライアント端末２０により実行される第１の表示動作規制処理を説明する。
図５に示すように、まず、クライアント端末２０において、メディアドライブ２７にメディアがセットされると（ステップＳ２１）、メディアドライブ２７により、メディアから表示動作規制処理プログラムが読み取られ、表示動作規制処理機能が自動的に起動される（ステップＳ２２）。これ以降の処理は、ＣＰＵ２１と、メディアに記憶されている表示動作規制処理プログラムとの協働によるソフトウェア処理によって実行される。
【００６５】
次に、クライアント端末２０のシステム時間が取得される（ステップＳ２３）。システム時間とは、ＰＣ等の装置において使われている時間をいい、ＧＭＴ（グリニッジ標準時：Greenwich Mean Time）、ＵＴＣ（協定世界時：Coordinated Universal Time）、ＪＳＴ（日本標準時：Japanese Standard Time）等が用いられる。
【００６６】
次に、医用画像情報のヘッダから検査日が取得され（ステップＳ２４）、検査日からシステム時間までの経過時間が算出される（ステップＳ２５）。ここで、算出された経過時間が表示可能期間を経過している場合には（ステップＳ２６；Ｙｅｓ）、メディアドライブ２７により、対象ファイルに対して追加書き込みが行われ、画像が表示不可となるように破壊される（ステップＳ２７）。
【００６７】
ステップＳ２７の後、又は、ステップＳ２５で算出された経過時間が表示可能期間を経過していない場合には（ステップＳ２６；Ｎｏ）、未チェック画像があるか否かが判断される（ステップＳ２８）。未チェック画像がある場合には（ステップＳ２８；Ｙｅｓ）、ステップＳ２４に戻り、ステップＳ２４〜ステップＳ２８の処理が繰り返される。
【００６８】
全ての画像についてチェックが終了した場合には（ステップＳ２８；Ｎｏ）、表示部２３に、表示可能な医用画像、すなわち、表示可能期間を経過していない医用画像のみが表示され、その他の医用画像についてはアドレスが表示される（ステップＳ２９）。
以上で、第１の表示動作規制処理が終了する。
【００６９】
アドレスが表示された医用画像情報については、表示されたアドレスを選択することにより、ネットワークＮを介して、記憶装置１５に保存されている医用画像情報にアクセスすることができる。具体的には、クライアント端末２０からデータ管理サーバ１０へアドレス情報が通知され、データ管理サーバ１０では、アドレス情報に基づいて、表示対象となる医用画像情報が記憶装置１５から取得される。そして、データ管理サーバ１０からクライアント端末２０へ医用画像情報が提供され、クライアント端末２０では、データ管理サーバ１０から提供された医用画像情報に基づいて、表示部２３に医用画像が表示される。
【００７０】
以上説明したように、医用情報提供システム１００によれば、クライアント端末２０において、検査日から表示可能期間を経過するまでは医用画像情報を通常に表示可能とし、検査日から表示可能期間を経過した後は、医用画像情報の表示動作を規制することができる。したがって、表示可能期間を経過した医用画像情報に基づいて誤った診断を行うことを防止することができる。
【００７１】
また、表示可能期間が経過し、メディアに格納されている医用画像情報が表示不可となった後でも、メディア内に書き込まれたアドレス情報に基づいて、医用画像情報の保存先にリモートアクセスすることにより、最新の医用画像を表示することができる。このように、データ管理サーバ１０から医用画像情報を提供することができるため、メディア提供時の古いデータにとらわれることなく、ユーザに最新のデータを提供することができる。
【００７２】
［第２の実施の形態］
次に、本発明を適用した第２の実施の形態について説明する。
第２の実施の形態における医用情報提供システムは、第１の実施の形態に示した医用情報提供システム１００と同様の構成によってなるため、同一の構成部分については同一の符号を付し、図示及び説明を省略する。以下、第２の実施の形態に特徴的な構成及び処理について説明する。
【００７３】
第１の実施の形態では、表示可能期間の開始の基準となる基準時が検査日である場合について説明したが、第２の実施の形態では、表示可能期間の開始の基準となる基準時が医用画像情報のメディアへの書き込み日である場合について説明する。
【００７４】
データ管理サーバ１０において実行されるメディア書き込み処理については、第１の実施の形態で説明したメディア書き込み処理と同様であるため、説明を省略する。ただし、第２の実施の形態における表示動作規制処理プログラムでは、基準時が医用画像情報のメディアへの書き込み日に予め設定されている。
【００７５】
図６は、クライアント端末２０により実行される第２の表示動作規制処理を示すフローチャートである。
図６に示すように、まず、クライアント端末２０において、メディアドライブ２７にメディアがセットされると（ステップＳ３１）、メディアドライブ２７により、メディアから表示動作規制処理プログラムが読み取られ、表示動作規制処理機能が自動的に起動される（ステップＳ３２）。これ以降の処理は、ＣＰＵ２１と、メディアに記憶されている表示動作規制処理プログラムとの協働によるソフトウェア処理によって実行される。
【００７６】
次に、クライアント端末２０のシステム時間が取得される（ステップＳ３３）。
【００７７】
次に、医用画像情報のヘッダから、その医用画像情報のメディアへの書き込み日が取得され（ステップＳ３４）、書き込み日からシステム時間までの経過時間が算出される（ステップＳ３５）。ここで、算出された経過時間が表示可能期間を経過している場合には（ステップＳ３６；Ｙｅｓ）、メディアドライブ２７により、対象ファイルに対して追加書き込みが行われ、画像が表示不可となるように破壊される（ステップＳ３７）。
【００７８】
ステップＳ３７の後、又は、ステップＳ３５で算出された経過時間が表示可能期間を経過していない場合には（ステップＳ３６；Ｎｏ）、未チェック画像があるか否かが判断される（ステップＳ３８）。未チェック画像がある場合には（ステップＳ３８；Ｙｅｓ）、ステップＳ３４に戻り、ステップＳ３４〜ステップＳ３８の処理が繰り返される。
【００７９】
全ての画像についてチェックが終了した場合には（ステップＳ３８；Ｎｏ）、表示部２３に、表示可能な医用画像、すなわち、表示可能期間を越えていない医用画像のみが表示され、その他の医用画像についてはアドレスが表示される（ステップＳ３９）。
以上で、第２の表示動作規制処理が終了する。
【００８０】
以上説明したように、第２の実施の形態における医用情報提供システムによれば、クライアント端末２０において、医用画像情報のメディアへの書き込み日から表示可能期間を経過するまでは医用画像情報を通常に表示可能とし、書き込み日から表示可能期間を経過した後は、医用画像情報の表示動作を規制することができる。したがって、表示可能期間を経過した医用画像情報に基づいて誤った診断を行うことを防止することができる。
【００８１】
また、表示可能期間が経過し、メディアに格納されている医用画像情報が表示不可となった後でも、メディア内に書き込まれたアドレス情報に基づいて、医用画像情報の保存先にリモートアクセスすることにより、最新の医用画像を表示することができる。
【００８２】
［第３の実施の形態］
次に、本発明を適用した第３の実施の形態について説明する。
第３の実施の形態における医用情報提供システムは、第１の実施の形態に示した医用情報提供システム１００と同様の構成によってなるため、同一の構成部分については同一の符号を付し、図示及び説明を省略する。以下、第３の実施の形態に特徴的な構成及び処理について説明する。
【００８３】
第３の実施の形態では、次回検査日を経過した後はメディアに格納されている医用画像情報の表示動作を規制することとする。
【００８４】
データ管理サーバ１０において実行されるメディア書き込み処理については、第１の実施の形態で説明したメディア書き込み処理と同様であるため、説明を省略する。ただし、第３の実施の形態における表示動作規制処理プログラムでは、各医用画像情報に対して予め設定されている次回検査日に基づいてデータの新旧を判断する。
【００８５】
図７は、クライアント端末２０により実行される第３の表示動作規制処理を示すフローチャートである。
図７に示すように、まず、クライアント端末２０において、メディアドライブ２７にメディアがセットされると（ステップＳ４１）、メディアドライブ２７により、メディアから表示動作規制処理プログラムが読み取られ、表示動作規制処理機能が自動的に起動される（ステップＳ４２）。これ以降の処理は、ＣＰＵ２１と、メディアに記憶されている表示動作規制処理プログラムとの協働によるソフトウェア処理によって実行される。
【００８６】
次に、クライアント端末２０のシステム時間が取得される（ステップＳ４３）。
【００８７】
次に、医用画像情報のヘッダから次回検査日が取得され（ステップＳ４４）、システム時間が次回検査日を経過している場合には（ステップＳ４５；Ｙｅｓ）、メディアドライブ２７により、対象ファイルに対して追加書き込みが行われ、画像が表示不可となるように破壊される（ステップＳ４６）。
【００８８】
ステップＳ４６の後、又は、システム時間が次回検査日を経過していない場合には（ステップＳ４５；Ｎｏ）、未チェック画像があるか否かが判断される（ステップＳ４７）。未チェック画像がある場合には（ステップＳ４７；Ｙｅｓ）、ステップＳ４４に戻り、ステップＳ４４〜ステップＳ４７の処理が繰り返される。
【００８９】
全ての画像についてチェックが終了した場合には（ステップＳ４７；Ｎｏ）、表示部２３に、表示可能な医用画像、すなわち、次回検査日を経過していない医用画像のみが表示され、その他の医用画像についてはアドレスが表示される（ステップＳ４８）。
以上で、第３の表示動作規制処理が終了する。
【００９０】
以上説明したように、第３の実施の形態における医用情報提供システムによれば、クライアント端末２０において、次回検査日までは医用画像情報を通常に表示可能とし、次回検査日を経過した後は、医用画像情報の表示動作を規制することができる。したがって、次回検査日を経過している場合には、より新しいデータが存在するものとして、古いデータに基づいて誤った診断を行うことを防止することができる。
【００９１】
また、表示可能期間が経過し、メディアに格納されている医用画像情報が表示不可となった後でも、メディア内に書き込まれたアドレス情報に基づいて、医用画像情報の保存先にリモートアクセスすることにより、最新の医用画像を表示することができる。
【００９２】
なお、上記各実施の形態における記述は、本発明に係る医用情報提供システムの例であり、これに限定されるものではない。システムを構成する各装置の細部構成及び細部動作に関しても本発明の趣旨を逸脱することのない範囲で適宜変更可能である。
【００９３】
例えば、上記各実施の形態では、医用画像情報に対して追加書き込みを行い、医用画像情報を破壊することによって、医用画像情報の表示動作を規制する場合について説明したが、医用画像情報を削除したり、医用画像情報の表示動作を許可するか否かを示すフラグを変更したりする等、他の方法を用いることとしてもよい。
【００９４】
また、上記各実施の形態では、クライアント端末２０において、表示可能な医用画像のみを表示し、その他の医用画像についてはアドレスを表示することとしたが、表示可能な医用画像についても、アドレス情報に基づく医用画像情報の保存先へのアクセスを実行可能としてもよい。
【図面の簡単な説明】
【００９５】
【図１】本発明の第１の実施の形態における医用情報提供システム１００のシステム構成図である。
【図２】データ管理サーバ１０の機能的構成を示すブロック図である。
【図３】クライアント端末２０の機能的構成を示すブロック図である。
【図４】メディア書き込み処理を示すフローチャートである。
【図５】第１の表示動作規制処理を示すフローチャートである。
【図６】第２の表示動作規制処理を示すフローチャートである。
【図７】第３の表示動作規制処理を示すフローチャートである。
【符号の説明】
【００９６】
１０  データ管理サーバ
１１  ＣＰＵ
１２  操作部
１３  表示部
１４  通信部
１５  記憶装置
１６  ＲＯＭ
１７  ＲＡＭ
１８  メディア書き込み部
１９  バス
２０  クライアント端末
２１  ＣＰＵ
２２  操作部
２３  表示部
２４  通信部
２５  ＲＯＭ
２６  ＲＡＭ
２７  メディアドライブ
２８  バス
１００  医用情報提供システム
Ｎ  ネットワーク
【図１】
2009276811.tif 000003
【図２】
2009276811.tif 000004
【図３】
2009276811.tif 000005
【図４】
2009276811.tif 000006
【図５】
2009276811.tif 000007
【図６】
2009276811.tif 000008
【図７】
2009276811.tif 000009